(57)【要約】【課題】側板部を立ち上げるように折り曲げて、コンテナ内に収容した状態で、コンテナに振動衝撃が作用した場合であっても、トレーがコンテナ内を移動することを抑えることができる物品用収納トレーを提供する。【解決手段】果菜Ｔを収納するための複数の収納凹部１２が形成されたトレー１であって、トレー１は、複数の収納凹部１２，１２が形成された矩形状のトレー本体部１０と、トレー本体部１０にヒンジ部３０を介して連結された側板部２０と、を備えている。ヒンジ部３０は、トレー本体部１０の外側に延在する延在部３１と、延在部３１から立ち上がり、側板部２０に連結された立ち上がり部３２と、を備えており、ヒンジ部３０により、トレー本体部１０と側板部２０との間に段差構造が形成されている。【選択図】図３
0003207271.tif 000002
【実用新案登録請求の範囲】
【請求項１】
物品を収納するための複数の収納凹部が形成された物品用収納トレーであって、
前記物品用収納トレーは、前記複数の収納凹部が形成された矩形状のトレー本体部と、
前記トレー本体部にヒンジ部を介して連結された側板部と、を備えており、
前記ヒンジ部は、前記トレー本体部の外側に延在する延在部と、前記延在部から立ち上がり、前記側板部に連結された立ち上がり部と、を備えており、
前記ヒンジ部により、前記トレー本体部と前記側板部との間には、段差構造が形成されていることを特徴とする物品用収納トレー。
【請求項２】
前記延在部は、前記トレー本体部の前記収納凹部の開口が形成された開口壁部と同一の平面上に形成されていることを特徴とする請求項１に記載の物品用収納トレー。
【請求項３】
前記延在部と、前記立ち上がり部との間には、溝部が形成されていることを特徴とする請求項１または２に記載の物品用収納トレー。
【請求項４】
前記トレー本体部の前記各収納凹部を形成する少なくとも収納壁部には、複数の貫通孔が形成されていることを特徴とする請求項１〜３のいずれか一項に記載の物品用収納トレー。
【請求項５】
請求項１〜４のいずれか一項に記載の物品用収納トレーは、前記物品として果菜を収納することを特徴とする果菜用収納トレー。
【請求項６】
請求項１〜４のいずれか一項に記載の物品用収納トレーまたは請求項５に記載の果菜用収納トレーと、前記物品用収納トレーまたは前記果菜用収納トレーを前記ヒンジ部で折り曲げた状態で収容するコンテナと、を備えることを特徴とする包装材。
【請求項７】
前記コンテナは、前記コンテナの内部とその外部とを通気する構造を有することを特徴とする請求項６に記載の包装材。
【考案の詳細な説明】
【技術分野】
【０００１】
本考案は、物品を収納するための複数の収納凹部が形成された物品用収納トレー、果菜用収納トレー、およびこれを備えた包装材に関するものである。
【背景技術】
【０００２】
従来から、トマト等の各種の果菜等の複数の物品を搬送する際には、物品同士の接触や他物との接触による損傷を防止し保護する目的で、物品用収納トレー（以下「トレー」という）が使用されている。トレーは、合成樹脂発泡シートやパルプモールド等の適度の弾力性を有する素材で成形され、トレーには、物品を個装状態に収納保持できる複数の収納凹部が形成されている。
【０００３】
このようなトレーは、例えば、複数の物品を収納凹部に収納した状態で、プラスチック製のコンテナに、収納されて搬送されることがある。ここで、トレーをコンテナに収容する際には、収納凹部に収納された物品がコンテナの内壁に接触することがあり、物品が損傷することがある。特に、物品が果菜である場合には、このような現象は顕著である。
【０００４】
このような点を鑑みて、例えば、特許文献１には、複数の収納凹部が形成された矩形状の縁部を有するトレー本体部と、トレー本体部の各縁部から延在した側板部と、を備えたトレーが提案されている。このトレーには、トレー本体部と側板部との境界線に沿って、Ｖ溝が形成されている。
【０００５】
特許文献１のトレーによれば、トレー本体部と側板部との境界線に沿って、Ｖ溝を形成することにより、コンテナ内に収容したトレーを、トレー本体部に対して、側板部を立ち上げるように折り曲げることができる。これにより、収納凹部に収納された物品を、側板部で保護することができる。
【先行技術文献】
【特許文献】
【０００６】
【特許文献１】特開２００７−１６１３０９号公報
【考案の概要】
【考案が解決しようとする課題】
【０００７】
しかしながら、特許文献１に記載のトレーは、Ｖ溝を形成することにより、Ｖ溝を介して、トレー本体部に対して、側板部を立ち上げるようにトレーを折り曲げているので、折り曲げた状態のトレーの周縁は、充分な強度を有しない。
【０００８】
これにより、トレーを収容したコンテナの輸送中に、振動衝撃が作用した場合、コンテナ内で、トレーが変形して動くことがあり、トレーを安定して輸送することが難しいことがある。
【０００９】
本考案は、このような点を鑑みてなされたものであり、その目的とするところは、トレー本体部に対して、側板部を立ち上げるように折り曲げて、コンテナ内に収容した状態で、コンテナに振動衝撃が作用した場合であっても、トレーがコンテナ内を移動することを抑えることができる物品用収納トレー、果菜用収納トレー、およびこれを備えた包装材を提供することにある。
【課題を解決するための手段】
【００１０】
前記課題を解決すべく、考案者は鋭意検討を重ねた結果、トレー本体部に対して、側板部を立ち上げるように折り曲げた際に、この折り曲げ部分が重なるような構造を採用すれば、トレーの剛性を高めることができるとの新たな知見を得た。
【００１１】
本考案は、考案者の新たな知見に基づくものであり、本考案に係る物品用収納トレーは、物品を収納するための複数の収納凹部が形成された物品用収納トレーであって、前記物品用収納トレーは、前記複数の収納凹部が形成された矩形状のトレー本体部と、前記トレー本体部にヒンジ部を介して連結された側板部と、を備えており、前記ヒンジ部は、前記トレー本体部の外側に延在する延在部と、前記延在部から立ち上がり、前記側板部に連結された立ち上がり部と、を備えており、前記ヒンジ部により、前記トレー本体部と前記側板部との間には、段差構造が形成されていることを特徴とする。
【００１２】
本考案によれば、延在部は、トレー本体部にヒンジ部を介して連結されているので、トレー本体部に対して側板部を立ち上げるように物品用収納トレーを折り曲げることができる。これにより、立ち上った側板部で、収納凹部に収納された物品を保護することができる。
【００１３】
さらに、物品用収納トレーを折り曲げた状態では、延在部と立ち上がり部とが折り重なり合い、この重なり合った部分が物品用収納トレーの周りに形成される。これにより、物品用収納トレーの剛性を高めることができる。このような結果、側板部を立ち上げるように物品用収納トレーを折り曲げて、物品用収納トレーをコンテナ内に収容した状態で、コンテナに振動衝撃が作用した場合であっても、物品用収納トレーが変形し、これがコンテナ内を移動することを抑えることができる。
【００１４】
より好ましい態様としては、前記延在部は、前記トレー本体部の前記収納凹部の開口が形成された開口壁部と同一の平面上に形成されている。この態様によれば、延在部が、開口壁部と同じ高さに位置するので、より幅の狭い（折り曲げ時に高さの低い）側板部で、収納凹部に収納された物品を保護することができる。
【００１５】
さらに好ましい態様としては、前記延在部と、前記立ち上がり部との間には、溝部が形成されている。この態様によれば、溝部を形成することにより、側板部を立ち上げるように物品用収納トレーを折り曲げ易くなる。
【００１６】
より好ましい態様としては、前記トレー本体部の前記各収納凹部を形成する少なくとも収納壁部には、複数の貫通孔が形成されている。この態様によれば、貫通孔を形成することにより、収納凹部の通気性を高めることができ、結露水などの水分を、貫通孔を介して外部に排出することができる。上述した物品用収納トレーは、前記物品として果菜を収納することを特徴とする果菜用収納トレーであることが好ましい。
【００１７】
さらに、本考案に係る包装材は、上述した物品用収納トレーまたは果菜用収納トレーと、前記物品用収納トレーまたは前記果菜用収納トレーを前記ヒンジ部で折り曲げた状態で収容するコンテナと、を備える。本考案によれば、側板部を立ち上げるように物品用収納トレーを折り曲げた状態で、物品用収納トレーまたは果菜用収納トレーをコンテナに収容することができる。これにより、立ち上った側板部で、収納凹部に収納された物品を、コンテナから保護することができる。また、上述したように、コンテナに振動衝撃が作用した場合であっても、物品用収納トレーがコンテナ内を移動することを抑えることができる。
【００１８】
さらに好ましい梱包材の態様としては、前記コンテナは、前記コンテナの内部とその外部とを通気する構造を有する。これにより、物品用収納トレーまたは果菜用収納トレーとコンテナとの間の通気性を確保することができる。特に、上述した貫通孔が収納凹部の収納壁部に形成されている場合には、収納凹部と、コンテナの外部とを通気することができる。
【考案の効果】
【００１９】
本考案に係る物品用収納トレーによれば、側板部を立ち上げるように物品用収納トレーを折り曲げて、これをコンテナ内に収容した状態で、コンテナに振動衝撃が作用した場合であっても、物品用収納トレーがコンテナ内を移動することを抑えることができる。
【図面の簡単な説明】
【００２０】
【図１】本考案の第１実施形態に係る果菜用収納トレーの模式的斜視図である。
【図２】図１に示す果菜用収納トレーの平面図である。
【図３】（ａ）は、図２に示すＡ−Ａ線矢視断面図であり、（ｂ）は、（ａ）に示す果菜用収納トレーをコンテナに収容した状態を示した図であり、（ｃ）は、果菜を収納した状態の果菜用収納トレーを段積みした状態を示した図である。
【図４】本考案の実施形態に係る包装材の模式的斜視図である。
【図５】本考案の第２実施形態に係る果菜用収納トレーの平面図である。
【図６】（ａ）は、図２に示すＢ−Ｂ線矢視断面図であり、（ｂ）は、（ａ）に示す果菜用収納トレーをコンテナに収容した状態を示した図である。
【図７】（ａ）は、図３（ａ）の位置に相当する第３実施形態に係る果菜用収納トレーの要部断面図であり、（ｂ）は、（ａ）に示す果菜用収納トレーをコンテナに収容した状態を示した図である。
【図８】（ａ）は、図３（ａ）の位置に相当する従来例に係る果菜用収納トレーの要部断面図であり、（ｂ）は、（ａ）に示す果菜用収納トレーをコンテナに収容した状態を示した図である。
【考案を実施するための形態】
【００２１】
以下に、本考案のいくつかの実施の形態を、図１〜８を参照しながら説明する。
〔第１実施形態〕
本実施形態では、物品用収納トレーとして、果菜Ｔ（物品）を収納する果菜用収納トレー１（以下、「トレー」という）を例示して説明する。トレー１は、トマト、リンゴ、梨、桃などの果菜を複数収納するためのトレーである。
【００２２】
トレー１の構成素材としては、たとえば熱可塑性合成樹脂シート、合成樹脂（熱可塑性樹脂）発泡シート、紙、またはパルプモールドなどを挙げることができる。トレー１は、これらの構成素材を成形することにより得ることができる。
【００２３】
たとえば、合成樹脂発泡シートとしては、ポリプロピレンやポリエチレン等のポリオレフィン系樹脂、ポリエステル系樹脂、ポリスチレン系樹脂、ポリ塩化ビニル系樹脂その他の適度の弾力性を有しかつ保形強度のある各種の合成樹脂発泡シート、あるいはこれらの合成樹脂発泡シートの片面もしくは両面に非発泡樹脂をラミネートした合成樹脂発泡シートが用いられる。これらの中に界面活性剤、抗菌剤、着色剤等の添加剤を加えても良い。
【００２４】
中でも、ポリスチレン系樹脂の発泡シートの場合、剛性と柔軟性のバランスがよく緩衝性に優れ、かつ強度があって保形、復元性、成形性にも優れるため、繰り返し使用するのに適している。さらに、ポリスチレン系樹脂の発泡シートは、ポリオレフィン系樹脂の発泡シートに比べ比較的強靭でないので孔加工がしやすく部分的に後述する貫通孔が開かない等の問題も発生しにくい。例えば、ポリスチレン系発泡シートとしては、積水化成品工業製のインターフォーム（登録商標）  ＣＩＰＩ１８Ｂ等を挙げることができる。
【００２５】
合成樹脂発泡シートにより成形されたトレー１の厚みは、使用素材によっても異なるが、ポリスチレン系樹脂発泡シートの場合、トレー１の厚みは１．０ｍｍから３．０ｍｍの範囲にあり、未発泡の状態から発泡倍率が１０倍から２０倍の範囲に発泡しているものが好ましい。トレー１の厚みが前記範囲より小さくなると、充分な支持強度が得られなくなり、またトレー１の厚みが前記範囲より大きくなると、発泡シートからの成形が困難になる上に嵩高になる。また、発泡倍率が、前記範囲より小さいと、果菜に対して充分な緩衝性が得られず、発泡倍率が前記範囲より大きいと、トレー１の強度が低下し、輸送中に剛性不足で果菜が損傷するおそれがある。トレー１は、適度の弾力性及び保形性を有する上述した熱可塑性の合成樹脂発泡シートから真空成形、圧空成形等の熱成形加工の手段により一体に成形されてなる。
【００２６】
本実施形態では、トレー１に形成される複数の貫通孔１６に相当する貫通孔を予め孔加工した合成樹脂発泡シートを熱成形するが、たとえば、孔加工されていない剛性樹脂発泡シートをトレー１の形状に熱成形した後、後述する収納壁部のみに複数の貫通孔を成形してもよい。
【００２７】
図１から図３に示すように、トレー１には、トレー本体部１０の外周縁部１１と、外周縁部１１の内方において所定の間隔で配列された複数の収納凹部１２，１２，…とが形成されている。各収納凹部１２は、収納壁部１３により形成されている。各収納凹部１２は、果菜Ｔの形状に応じて凹んでおり、果菜Ｔを簡単に各収納凹部１２に収納することができる。複数の収納凹部１２，１２には、隣接する収納凹部１２と連結する連結溝１８が形成されている。なお、図３、および後述する図６、図７に示すトレー１の断面図では、上述した貫通孔１６を省略している。
【００２８】
ここで、本実施形態では、成形前の剛性樹脂発泡シートに貫通孔を設けたので、熱成形されたトレー１の収納壁部１３を含むトレー全体には、複数の貫通孔１６，１６，…が形成される。ここで、各貫通孔１６の間隔は、５ｍｍから２０ｍｍのピッチの範囲にあり、その孔径は０．３ｍｍから３ｍｍの範囲にあることが好ましい。
【００２９】
本実施形態では、図３（ａ）に示すように、収納壁部１３は、収納凹部１２の底部を形成する底壁部１４と、底壁部１４の周縁部１４ａから連続して収納凹部１２の開口１２ａまで立ち上った周壁部１５とを備えている。
【００３０】
本実施形態では、底壁部１４に形成される複数の貫通孔１６，１６，…の数である底孔数は、少なくとも３個以上であり、収納壁部１３の貫通孔１６の孔数に対して、１７％から６０％の範囲にあることが好ましい。
【００３１】
このように底壁部１４の貫通孔１６の底孔数を、収納壁部１３の孔数に対して上述した範囲とすることにより、収納凹部１２に溜る果菜Ｔからの結露水等の水分をトレー外部に良好に排水することができる。また、収納凹部１２の一部を形成する周壁部１５にも貫通孔１６が形成されることになるので、収納凹部１２に収納された果菜Ｔの通気性を確保することにより、果菜Ｔの湿気ムレを防止することができる。
【００３２】
さらに、本実施形態では、矩形状のトレー本体部１０の外周縁部１１には、ヒンジ部３０を介して４つの側板部２０が連結されている。ヒンジ部３０は、図３（ａ）に示すように、トレー本体部１０の外側に延在する延在部３１と、延在部３１から立ち上がり、側板部２０に連結された立ち上がり部３２と、を備えている。具体的には、延在部３１は、水平方向外側に延在している。
【００３３】
このようなヒンジ部３０を設けることにより、トレー本体部１０と、側板部２０との間には、段差構造が形成されている。本実施形態では、延在部３１は、トレー本体部１０の収納凹部１２の開口１２ａが形成された開口壁部１７と同一の平面上に形成されている。すなわち、本実施形態では、トレー本体部１０の外周縁部１１の一部が、延在部３１を構成している。
【００３４】
さらに、本実施形態では、隣接する側板部２０，２０同士は、トレー１の隅部において連結部２５により連結されている。これにより、側板部２０を立ち上げるように、トレー１を折り曲げた際に、隣接する側板部２０も若干持ち上がり、隣接する側板部２０も容易に立ち上げるように、トレー１を簡単に折り曲げることができる。また、連結部２５を設けることにより、トレー本体部１０の周りに、延在部３１および立ち上がり部３２を周回させることができる。
【００３５】
上述したトレー１は、図３（ａ）および図４に示すように、側板部２０を立ち上げるようにトレー１を折り曲げた状態で、トレー１をコンテナ７０に収容し、包装材１００とすることができる。コンテナ７０は、枠体７１に複数のリブ７２が渡され、コンテナ７０の内部と外部とを通気する構造を有している。本実施形態では、コンテナ７０は、折り畳み式のプラスチックのコンテナである。
【００３６】
これまでのトレー９では、図８（ａ）に示すように、収納凹部９４が形成されたトレー本体部９１と、側板部９２との間に、Ｖ溝９３を形成していた。このようなトレー９を、上述したコンテナ７０に収容した場合には、図８（ｂ）に示すように、Ｖ溝９３を折り曲げの起点として、側板部９２を立ち上げるように、トレー９を折り曲げていた。このような構造では、Ｖ溝９３により折り曲げた状態のトレー９の周縁の強度は十分に確保できず、充分な剛性を得ることができないおそれがあった。
【００３７】
そこで、本実施形態では、上述した構成を採用することにより、図３（ｂ）に示すように、コンテナ７０内でトレー１を折り曲げた状態で、延在部３１と立ち上がり部３２とが折り重なり合い、この重なり合った部分がトレー１の周りに形成される。これにより、トレー１の剛性を高めることができる。
【００３８】
このような結果、側板部２０を立ち上げるようにトレー１を折り曲げて、トレー１をコンテナ７０内に収容した状態（図４参照）で、コンテナ７０に振動衝撃が作用した場合であっても、トレー１の変形を抑え、これがコンテナ７０内で移動し難くなる。
【００３９】
さらに、果菜Ｔを包装する際には、図３（ｃ）に示すように、果菜Ｔが収納されたトレー１をトレー１内に複数段（図では２段）段積みする。このとき、トレー１の立ち上った側板部２０で、収納凹部１２に収納された果菜Ｔを、コンテナ７０から保護することができる。また、このような段積みを行っても、コンテナ７０内でのトレー１の移動を抑制するので、トレー１は、果菜Ｔの荷崩れがなく、片寄りもし難いので、収納作業性、収納効率、および輸送適正に優れている。
【００４０】
また、本実施形態では、延在部３１は、トレー本体部１０の収納凹部１２の開口１２ａが形成された開口壁部１７と同一の平面上に形成されているので、延在部３１が、開口壁部１７と同じ高さに形成されている。これにより、より狭い幅の側板部２０で、果菜Ｔを保護することができ、トレー１のコンパクト化を図ることができる。
【００４１】
さらに本実施形態では、コンテナ７０が通気性を有する構造であるので、トレー１とコンテナ７０との間の通気性を確保することができる。本実施形態では、貫通孔１６が収納凹部１２の収納壁部１３に形成されているので、収納凹部１２内の果菜Ｔと、コンテナ７０の外部とを通気することができる。
【００４２】
〔第２実施形態〕
図５は、本考案の第２実施形態に係るトレー１の平面図であり、図６（ａ）は、図５に示すＢ−Ｂ線矢視断面図であり、図６（ｂ）は、図６（ａ）に示すトレー１をコンテナ７０に収容した状態を示した図である。本実施形態のトレー１が、第１実施形態のものと相違する点は、溝部３５をさらに形成した点である。したがって、第１実施形態のトレー１と同じ構成は、同じ符号を付して、詳細な説明を省略する。
【００４３】
本実施形態では、延在部３１と、立ち上がり部３２との間に、溝部３５が形成されている。より具体的には、溝部３５は、溝底が平坦な面を有した溝であり（図６（ａ）参照）、延在部３１と立ち上がり部３２の境界を含み延在部３１寄りに、形成されている。
【００４４】
さらに、本実施形態では、図５に示すように、上述した如く、トレー本体部１０の周りに、延在部３１および立ち上がり部３２が周回しており、溝部３５は、周回した延在部３１および立ち上がり部３２の隅部を残して、直線状に形成されている。
【００４５】
本実施形態によれば、図６（ｂ）に示すように、溝部３５を形成することにより、トレー本体部１０に対して側板部２０を立ち上げるように、トレー１を折り曲げ易くなり、トレー１をコンテナ７０に簡単に収容することができる。特に、溝部３５を直線状に形成したことにより、トレー１をより一層折り曲げ易くなる。
【００４６】
さらに、本実施形態では、溝部３５を形成することにより、トレー１を折り曲げ易くすることができるのであれば、溝部３５の形状は、Ｖ溝、Ｕ溝等、特に限定されるものではない。しかしながら、本実施形態では、溝部３５の溝底を平坦な面にしたことにより、Ｖ溝に比べて、折り曲げ時に、溝部３５に局所的な曲げ応力が作用することを抑えることができる。
【００４７】
〔第３実施形態〕
図７（ａ）は、図３（ａ）の位置に相当する第３実施形態に係るトレー１の要部断面図であり、図７（ｂ）は、図７（ａ）に示すトレー１をコンテナ７０に収容した状態を示した図である。本実施形態のトレー１が、第１実施形態のものと主に相違する点は、スカート部１９をさらに形成した点である。したがって、第１実施形態のトレー１と同じ構成は、同じ符号を付して、詳細な説明を省略する。
【００４８】
本実施形態では、図７（ａ）に示すように、トレー本体部１０の周縁に、トレー本体部１０の底壁部１４の近傍まで、立下がったスカート部１９が形成されている。スカート部１９は、トレー本体部１０の周縁を連続して周回するように形成されている。
【００４９】
本実施形態では、トレー本体部１０のスカート部１９に、ヒンジ部３０を介して連結された側板部２０が形成されている。具体的には、ヒンジ部３０は、トレー本体部１０のスカート部１９から外側に延在する延在部３１と、延在部３１から立ち上がり、側板部２０に連結された立ち上がり部３２と、を備えている。
【００５０】
本実施形態では、ヒンジ部３０が、他の実施形態に比べて、下方に形成されるため、側板部２０の幅が大きくなるが、トレー本体部１０にスカート部１９を設けることにより、トレー１をコンテナ７０内に安定して配置することができる。
【００５１】
以上、本考案の実施形態について詳述したが、本考案は、前記の実施形態に限定されるものではなく、実用新案登録請求の範囲に記載された本考案の精神を逸脱しない範囲で、種々の設計変更を行うことができるものである。
【００５２】
第１〜第３実施形態では、トレーの全体に、貫通孔を形成したが、例えば、物品が、通気性を要しないものである場合は、トレーに貫通孔を形成する必要はない。
【符号の説明】
【００５３】
１…（果菜用収納）トレー、１０…トレー本体部、１１…外周縁部、１２…収納凹部、１２ａ…開口、１３…収納壁部、１４…底壁部、１４ａ…周縁部、１５…周壁部、１５ａ…開口部、１７…開口壁部、１６…貫通孔、１８…連結溝、１９…スカート部、２０…側板部、２５…連結部、３０…ヒンジ部、３１…延在部、３２…立ち上がり部、３５…溝部、７０…コンテナ、７１…枠体、７２…リブ、Ｔ…果菜、１００…包装材
【図１】
0003207271.tif 000003
【図２】
0003207271.tif 000004
【図３】
0003207271.tif 000005
【図４】
0003207271.tif 000006
【図５】
0003207271.tif 000007
【図６】
0003207271.tif 000008
【図７】
0003207271.tif 000009
【図８】
0003207271.tif 000010